(57)【要約】【課題】掃除の作業性と掃除の際の安全性の向上を図ることができるダクト用換気扇を提供する。【解決手段】下面を開口させてなる吸込口３および側面部にこの吸込口に連通し排気ダクト５が接続される吐出口４を有する筺体状の本体枠２と、この本体枠の吸込口側に着脱可能に装着される化粧パネル３ｂと、本体枠内に吸込口から出し入れ可能に形成され、本体枠内に下方に向けて突出させたモータの回転軸９ｂに着脱可能に取り付けられる遠心ファン１０とを具備している。また、本体枠内で遠心ファンの外周を囲み吸込口と吐出口を連通させる下面が開口したファンケーシング８と、ファンケーシングを本体枠内に固定するケーシング支持部７と、を具備している。さらに、モータの回転軸の先端部が挿入される挿入孔を有し、遠心ファンに設けられるボス部１０ａａと、ボス部のねじ部１０ｅにねじ結合されて挿入孔を漸次縮径させて締め付けることによりモータの回転軸をボス部に結合させるスピナー１１と、を具備している。【選択図】  図９
2017053623.tif 000002
【特許請求の範囲】
【請求項１】
下面を開口させてなる吸込口及び側面部にこの吸込口に連通し排気ダクトが接続される吐出口を有する筐体状の本体枠と、
この本体枠の吸込口側に着脱可能に装着される化粧パネルと、
前記本体枠内に前期吸込口から出し入れ可能に形成され、当該本体枠内に下方に向けて突出させたモータの回転軸に着脱可能に取り付けられる遠心ファンと、
前記本体枠内に前記遠心ファンの外周を囲み前記吸込口と前記吐出口を連通させる下面が開口したファンケーシングと、
このファンケーシングを前記本体枠内に固定するケーシング支持部と、
前記モータの回転軸の先端部が挿入される挿入孔、円錐台状の外周面にねじ山が形成されたねじ部、前記挿入孔を径方向に切断して複数に分割しこの挿入孔を縮径可能に構成するスリットを有し、前記遠心ファンに設けられるボス部と、
前記ボス部のねじ部にねじ結合されて前記挿入孔を漸次縮径させて締め付けることにより前記モータの回転軸を前記ボス部に結合させるスピナーと、
を具備していることを特徴とするダクト用換気扇。
【請求項２】
前記スピナーは、内部がボス部に係合するテーパ状に形成された先細円錐台状挿入孔を備えることを特徴とする請求項１に記載のダクト用換気扇。
【発明の詳細な説明】
【技術分野】
【０００１】
本発明の実施形態は浴室等の室内の天井裏に配設され、室内空気を換気するダクト用換気扇に関する。
【背景技術】
【０００２】
従来、この種のダクト用換気扇としては、筺体状のケーシングの内部に、羽根板と接合される環状リングを有する羽根車を設け、この環状リングを囲む筒状壁をケーシング本体部に設け、羽根車を取外し可能に構成した遠心送風機が知られている（例えば、特許文献１参照）。
【０００３】
この遠心送風機によれば、ケーシング本体部から羽根車を取り外すことにより、その取り外した後の空間からケーシング内に手を挿入する等により、ケーシング内を掃除できる。このために、ケーシング内を掃除する際の作業性の向上を図ることができる。
【先行技術文献】
【特許文献】
【０００４】
【特許文献１】特開２０１０−１８０７０６号公報
【発明の概要】
【発明が解決しようとする課題】
【０００５】
しかしながら、このような従来の遠心送風機では、羽根車を取り外しても、その取り外した後の空間が狭いうえに、この狭い空間の外周側に、環状リングを囲む筒状壁があるので、この羽根車を取り除いた後の狭い空間からこの筒状壁の内側（裏側）へ手等を挿入して掃除する際の作業性が悪い、という課題がある。
【０００６】
また、羽根車はケーシング本体部から単に取外し可能であるので、その取外し作業中に羽根車が落下し、ユーザ等が怪我をする危険性がある。
【０００７】
本発明が解決しようとする課題は、掃除の作業性と掃除の際の安全性の向上を図ることができるダクト用換気扇を提供することにある。
【課題を解決するための手段】
【０００８】
実施形態のダクト用換気扇は、下面を開口させてなる吸込口および側面部にこの吸込口に連通し排気ダクトが接続される吐出口を有する筺体状の本体枠と、この本体枠の吸込口側に着脱可能に装着される化粧パネルと、本体枠内に吸込口から出し入れ可能に形成され、当該本体枠内に下方に向けて突出させたモータの回転軸に着脱可能に取り付けられる遠心ファンと、を具備している。
【０００９】
また、本体枠内で遠心ファンの外周を囲み吸込口と吐出口を連通させる下面が開口したファンケーシングと、このファンケーシングを本体枠内に固定するケーシング支持部と、を備えている。
【００１０】
さらに、モータの回転軸の先端部が挿入される挿入孔、円錐台状の外周面にねじ山が形成されたねじ部、挿入孔を径方向に切断して複数に分割しこの挿入孔を縮径可能に構成するスリットを有し、遠心ファンに設けられるボス部と、ボス部のねじ部にねじ結合されて挿入孔を漸次縮径させて締め付けることによりモータの回転軸をボス部に結合させるスピナーと、を具備している。
【図面の簡単な説明】
【００１１】
【図１】第１の実施形態のダクト用換気扇の全体構成を示す正面縦断面図。
【図２】図１で示す実施形態の分解斜視図。
【図３】図１，図２で示す化粧パネルを省略し、本体枠とファンケーシングとベルマウスの組付け状態等を主に示す斜視図。
【図４】同，実施形態の図１，図２で示す化粧パネルを取り外したときの底面図。
【図５】図４の吸込口から見たときの斜視図。
【図６】図３〜図５等で示すベルマウスの回動支持部の一部拡大斜視図。
【図７】図１，図２で示す化粧パネルを省略し、図３〜図５等で示す一対のベルマウスつまみ部と係合部が係合しているときの状態を示す吸込口側から見たときの斜視図。
【図８】図１，図２で示す化粧パネルを省略し、図３〜図５等で示す一対のつまみ部と係合部の係合が解除（離脱）したときの状態を示す吸込口側から見たときの斜視図。
【図９】第２の実施形態に係るダクト用換気扇の要部分解斜視図。
【図１０】同，要部の組付け状態を一部縦断面で示す部分縦断面図。
【発明を実施するための形態】
【００１２】
以下、本実施形態のダクト用換気扇を図面を参照して説明する。なお、複数の図面中、同一または相当部分には同一符号を付している。
【００１３】
（第１の実施形態）
図１は第１の実施形態のダクト用換気扇の正面縦断面図、図２，図３は、同，分解斜視図である。
【００１４】
これら図１〜図３に示すようにダクト用換気扇１は、図示省略の浴室等の室内の天井板に埋設される換気扇であり、そのほぼ全体が、例えばＰＰ（ポリプロピレン）等の合成樹脂により形成され、ＰＰ製の角筒状筺体の本体枠２の下面のほぼ全面を開口させて矩形の大きい吸込口３を形成し、その吸込口３の外周には、外向フランジ３ａを一体に形成している。なお、ダクト用換気扇１は、その全体が合成樹脂により形成されたものに限定されるものではなく、全体あるいはその一部を鋼板などの金属で構成させてもよい。
【００１５】
この外向フランジ３ａの外周には化粧パネル３ｂが嵌め込みにより着脱可能に装着される。化粧パネル３ｂは本体枠２の吸込口３に連通する吸込口３ｃを有し、この化粧パネル３ｂの吸込口３ｃには複数のルーバ３ｄ，３ｄ，…を所要のピッチで配設している。
【００１６】
また、本体枠２は、その一側面部（図１〜図３では右側面部）に、例えば矩形の吐出口４を形成している。この吐出口４は本体枠２の内部２ａの空間を介して吸込口３と連通しており、吐出口４の外面には排気ダクト５が接続される。排気ダクト５は室内の天井板の上方側（天井裏）に配設される。
【００１７】
さらに、本体枠２は、天井面が開口しており、この開口部には、図３に示すこの開口を閉塞する天板６が取り付けられる。この天板６の下面には、その角部等複数箇所に形成したケーシング支持部７，７，…で、ファンケーシング８がねじ止め固定されて取り付けられる。
【００１８】
各ケーシング支持部７は、ファンケーシング８の外周面の複数箇所に形成され、この部分でファンケーシング８を天板６に固定し、本体枠２内に配置している。
【００１９】
ファンケーシング８は、下面が開口しており、図１に示すように上面部にモータ９の図中下端部を挿入させるモータ挿入孔８ａ、下面と一側面に本体枠２の吸込口３と吐出口４にファンケーシング８内の通風路を介してそれぞれ連通するファン吸込口８ｂとファン吐出口８ｃを形成している。
【００２０】
図１に示すように本体枠２の天板６は、その中央部にモータ９をその回転軸９ｂを下方向に向けて挿入するための貫通孔６ａが形成し、この貫通孔６ａ内から下方に、モータ９の軸方向中間部に形成した外向フランジ９ａよりも図中下半部を挿入し、モータ９の外向フランジ９ａ部分を天板６上にねじ止め等により固定している。
【００２１】
これにより、モータ９の回転軸９ｂは本体枠２内のファンケーシング８内に下方に向けて突出形成される。この回転軸９ｂは、その先端部に複数のねじ山を形成したねじ部を形成している。このねじ部はファンケーシング８内に配設されているファンの一例である遠心ファン１０のボス部１０ａを軸方向に貫通し、スピナー１１の内部に形成されたねじ部に堅くねじ結合される。これにより、スピナー１１がボス部１０ａに堅く圧接されるので、回転軸９ｂがボス部１０ａにロックされ、固定される。このため、スピナー１１を回転軸９ｂのねじ部から緩めることにより、回転軸９ｂをボス部１０ａから取り外すことができる。
【００２２】
遠心ファン１０は、例えば円板状の端板１０ｂの外周部に、その直交方向に延在する複数の羽根板１０ｃ，１０ｃ，…を周方向に所要のピッチで配列し固着している。端板１０ｂのほぼ中央部の図１中下面にはボス部１０ａを形成している。
【００２３】
遠心ファン１０は、外周を囲まれるようにファンケーシング８内に配設され、その回転時に、本体枠２の吸込口３と、ファンケーシング８のファン吸込口８ｂを通して室内空気をファンケーシング８内へ吸い込み、ファン吐出口８ｃと吐出口４を通して排気ダクト５側へ送風する。
【００２４】
そして、遠心ファン１０は、ファンケーシング８のファン吸込口８ｂと本体枠２の吸込口３を通してファンケーシング８の内外に出し入れできる形状と寸法に形成されている。
【００２５】
上記ファンケーシング８は、そのファン吸込口８ｂ側端部に、環状のベルマウス１２を片開き可能かつ着脱可能に配設している。
【００２６】
すなわち、ベルマウス１２は、ファンケーシング８の開口した下面を覆うように開閉可能に取り付けられる、環状のベルマウス本体１２ａと、このベルマウス本体１２ａの外周部の一側部をファンケーシング８の下端部に、回動可能に枢支するヒンジである左右一対の回動支持部１３，１３と、これら回動支持部１３，１３の直径方向反対側のベルマウス本体１２ａの他側部の外周部に形成される係止部１４とを具備している。
【００２７】
図３〜図５に示すように、各回動支持部１３は、ベルマウス本体１２ａの外周部に、その外方へ水平方向に突出する、例えば２本一対のフックアーム１３ａ，１３ａを、ベルマウス本体１２ａの周方向に所要の間隔を置いて対向する状態で配設している。
【００２８】
図６に示すように、これらの各フックアーム１３ａ，１３ａは、その先端部に環状のフック１３ｂを一体に形成し、このフック１３ｂには、切欠部１３ｃをそれぞれ形成している。
【００２９】
また、図６に示すように、各回動支持部１３は、フック１３ｂ内を挿通するヒンジピン１３ｄを横架した図中左右一対の端板１３ｅ，１３ｅを具備している。これら端板１３ｅ，１３ｅはファンケーシング８の吸込口３一側部に一体に形成されている。
【００３０】
すなわち、各フック１３ｂの切欠部１３ｃをヒンジピン１３ｄ側へ強く押し当て、押し込むと、この切欠部１３ｃの周辺部が弾性変形して各フック１３ｂ内に挿入され、回動可能に取り付けられる。これにより、ヒンジピン１３ｄ回りに、フックアーム１３ａ，１３ａに一体に形成されているベルマウス本体１２ａが回動する。
【００３１】
一方、図２〜図５，図７に示すように係止部１４は、ベルマウス本体１２ａに設けた一対のベルマウスつまみ部１５，１６を有し、これらつまみ部１５，１６は、ファンケーシング８の吸込口３側端部に設けた一対の係合部１７，１８に係脱可能に係合されている。
【００３２】
図７に示すように左右一対のベルマウスつまみ部１５，１６は、通常の大人等のユーザが片手の、例えば親指と、人指し指または中指等とにより摘むことができる間隔（例えば約１０ｃｍ程度）を置いて対向配置された、例えば小さい矩形平板をベルマウス本体１２ａの外周部上に立設させて形成され、対向間隔側へ撓曲可能に形成されている。これらの各ベルマウスつまみ部１５，１６は、その外側面に、係合爪１５ａ，１６ａをそれぞれ形成している。
【００３３】
これら一対のベルマウスつまみ部１５，１６の外側には、矩形小舌片状の係合部１７，１８を密着させて、または近接させてベルマウス本体１２ａ上に立設しており、これら係合部１７，１８はファンケーシング８の吸込口３他側部にそれぞれ形成されている。
【００３４】
係合部１７，１８は、ベルマウスつまみ部１５，１６の係合爪１５ａ，１６ａにそれぞれ係脱可能に係合する係合孔１７ａ，１８ａをそれぞれ形成している。
【００３５】
ダクト用換気扇１は、このように構成されているので、モータ９により遠心ファン１０が回転されると、浴室等の室内空気は、化粧パネル３ｂの吸込口３ｃ、本体枠２の吸込口３およびファンケーシング８のファン吸込口８ｂを通してファンケーシング８内へ吸い込まれ、さらに、ファンケーシング８と本体枠２のファン吐出口８ｃ，４を経て排気ダクト５へ排気される。
【００３６】
そして、ファンケーシング８内を掃除する場合は、その前に、まず、化粧パネル３ｂを本体枠２から取り外し、ベルマウス１２を開放させ、さらに、遠心ファン１０を順次取り外す。
【００３７】
すなわち、化粧パネル３ｂは、本体枠２の吸込口３の外向フランジ３ａに嵌め込みにより取り付けられているので、その嵌め込みを解除することにより、簡単かつ迅速に取り外すことができる。
【００３８】
この後、一対のベルマウスつまみ部１５，１６を片手の、例えば親指と、人指し指または中指等により、挟み込み、強く挟圧する。
【００３９】
すると、一対のベルマウスつまみ部１５，１６が互いに接近するように撓曲するので、これらベルマウスつまみ部１５，１６がこれらの外側で密着、または近接して立設されている一対の係合部１７，１８から離間する。
【００４０】
このために、一対のベルマウスつまみ部１５，１６の係合爪１５ａ，１６ａと、一対の係合部１７，１８の係合孔１７ａ，１８ａとの係合が解除される。
【００４１】
これにより、図２，図３に示すようにベルマウス１２の一側部である係止部１４がファンケーシング８から離脱し、ベルマウス１２の回動支持部１３回りに回動して片開きする。
【００４２】
したがって、片手で一対のベルマウスつまみ部１５，１６を摘み、強く挟み込むことにより、ベルマウス１２を本体枠２の吸込口３から簡単かつ迅速に片開きさせることができる。
【００４３】
しかも、この片開き状態でベルマウス１２全体は、その回動支持部１３により保持されているので、落下を防止し、落下によるユーザの怪我やベルマウス１２の破損の発生等を未然に防止することができる。このために、安全性の向上を図ることができる。
【００４４】
また、必要に応じて片開き状態のベルマウス１２を図中下方へ強く引くと、図６で示すフックアーム１３ａのフック１３ｂの切欠部１３ｃがヒンジピン１３ｄに押し当てられ、弾性変形し、ヒンジピン１３ｄから離脱する。これにより、ベルマウス１２全体を本体枠２とファンケーシング８から取り外すことができる。
【００４５】
また、吸込口３は本体枠２の下面全面的に開口させて形成されているので、吸込口３を大きく開口させることができる。
【００４６】
この後、吸込口３側から手を挿入する等してスピナー１１を緩め、モータ９の回転軸９ｂとのロックを外すことにより、スピナー１１を回転軸９ｂから取り外すことにより、この回転軸９ｂから遠心ファン１０を取り外すことができる。しかも、遠心ファン１０の全体は吸込口３から出し入れできる大きさと形状に構成されているので、遠心ファン１０を吸込口３側から本体枠２の外部へ容易に取り外すことができる。
【００４７】
これにより、大きく開口した吸込口３側から、遠心ファン１０を取り外した後のファンケーシング８内を掃除できるので、掃除の作業性の向上を図ることができる。
【００４８】
（第２の実施形態）
図９は、第２の実施形態に係る要部の分解斜視図、図１０は、同，要部の組付け状態を、一部縦断面で示す部分縦断面図である。
【００４９】
第２の実施形態は、上記第１の実施形態において、モータ９の回転軸９ｂに遠心ファン１０を取り付け固定する取付構造を改良したものであり、回転軸９ｂの先端部には、ねじ部を形成していない点で上記第１の実施形態とは相違する。
【００５０】
また、この第２の実施形態は、遠心ファン１０の端板１０ｂの中央部に、ほぼ円錐台状のボス部１０ａａを固着し、または一体に成型している。ボス部１０ａａは、その図９中底部（図１０では上端部）から軸方向頂端側に延在して回転軸９ｂを単に挿入させる挿入孔１０ｄ（図１０参照）を形成している。
【００５１】
また、ボス部１０ａａは、その基端部の円錐台状の外周面に、所要構造のねじ山を形成してボス部側ねじ部１０ｅを形成している。
【００５２】
このボス部側ねじ部１０ｅ上には円錐台状の先端部１０ｆを一体に形成している。この先端部１０ｆは、その内部に、上記挿入孔１０ｄを延在させる一方、外周面には、その周方向に複数のブロックに分割するための軸方向に延在する縦スリット１０ｇと、径方向に延在する横スリット１０ｈを複数形成している。
【００５３】
スピナー１１は、円錐台状に形成され、その内部には、その底部（図１０では上端部）から頂端に向けて軸方向に延在する先細円錐台状挿入孔１１ｂを形成している。この先細円錐台状挿入孔１１ｂの内周面には、ボス部側ねじ部１０ｅにねじ結合されるスピナー側ねじ部１１ｃが形成されている。
【００５４】
したがって、モータ９の回転軸９ｂに遠心ファン１０を接続する場合は、まず、この回転軸９ｂを遠心ファン１０のボス部１０ａａの挿入孔１０ｄ内に挿入する。
【００５５】
次に、ボス部１０ａａのボス部側ねじ部１０ｅに、スピナー１１のスピナー側ねじ部１１ｃをねじ込んで行く。すると、このボス部側ねじ部１０ｅとスピナー側ねじ部１１ｃが共に円錐台状に形成されているので、これらボス部側ねじ部１０ｅとスピナー側ねじ部１１ｃのねじ込みの進行に応じて、ボス部１０ａａの先端部１０ｆの縦スリット１０ｇと横スリット１０ｈが次第に縮小し、締め付けられる。
【００５６】
このために、先端部１０ｆが締め付けられ、縮径するので、この先端部１０ｆの縮径による締付力により回転軸９ｂがボス部１０ａａに堅く締め付けられ、取り付けられる。
【００５７】
したがって、モータ９の回転軸９ｂにねじ部を形成せずに遠心ファン１０を簡単迅速かつ確実に接続することができる。また、本体枠２の下面を開口させてなる吸込口３から遠心ファン１０内に手を差し入れる等してスピナー１１を単に緩めることにより、遠心ファン１０をモータ９の回転軸９ｂから取り外し、吸込口３から外部へ簡単かつ迅速に取り出すことができる。
【００５８】
したがって、この第２実施形態によっても、遠心ファン１０を本体枠２の下面を開口させてなる吸込口３から取り出した後、この開口する吸込口３から下面が開口したファンケーシング８内に手等を挿入して、このファンケーシング８内を掃除する際の作業性と安全性の向上を図ることができる。
【００５９】
以上、本発明の幾つかの実施形態を説明したが、これらの実施形態は、例として提示したものであり、本発明の範囲を限定することは意図していない。これら新規な実施形態は、その他の様々な形態で実施されることが可能であり、本発明の要旨を逸脱しない範囲で、種々の省略、置換え、変更を行うことができる。これら実施形態やその変形は、本発明の範囲や要旨に含まれるとともに、特許請求の範囲に記載された発明とその均等の範囲に含まれる。
【符号の説明】
【００６０】
１…ダクト用換気扇、２…本体枠、３…吸込口、３ａ…外向フランジ、３ｂ…化粧パネル、４…吐出口、５…排気ダクト、７…ケーシング支持部、８…ファンケーシング、９ｂ…モータの回転軸、１０…遠心ファン、１０ｄ…挿入孔、１０ｅ…ボス部側ねじ部、１０ｇ…縦スリット、１０ｈ…横スリット、１１…スピナー、１１ｃ…スピナー側ねじ部、１２…ベルマウス、１３…回動支持部、１５，１６…一対のベルマウスつまみ部、１５ａ，１６ａ…係合爪、１７，１８…一対の係合部、１７ａ，１８ａ…係合孔。
【図１】
2017053623.tif 000003
【図２】
2017053623.tif 000004
【図３】
2017053623.tif 000005
【図４】
2017053623.tif 000006
【図５】
2017053623.tif 000007
【図６】
2017053623.tif 000008
【図７】
2017053623.tif 000009
【図８】
2017053623.tif 000010
【図９】
2017053623.tif 000011
【図１０】
2017053623.tif 000012